(57)【要約】      （修正有）【課題】課題は、使い勝手を向上できる、分電盤用キャビネット及び分電盤を提供することである。【解決手段】分電盤用キャビネット１０は、保持板１１１と、筐体１２と、を備える。保持板１１１は、１以上の開閉器を保持する。筐体１２は、保持板１１１を第１位置と第２位置との間で移動可能に保持する。保持板１１１を動かすことで、１以上の開閉器をユーザにとって見やすい位置や、操作しやすい位置に配置できる。【選択図】図４
2020065373.tif 000002
【特許請求の範囲】
【請求項１】
１以上の開閉器を保持する保持板と、
前記保持板を第１位置と第２位置との間で移動可能に保持する筐体と、
を備える、
分電盤用キャビネット。
【請求項２】
前記筐体は、前記保持板の全体を収容する大きさの箱状の本体を含み、
前記第１位置は、前記保持板の全体が前記筐体の本体内に収まった位置である、
請求項１の分電盤用キャビネット。
【請求項３】
前記第２位置は、前記保持板が部分的に又は全体的に前記筐体から外方に出た位置である、
請求項１又は２の分電盤用キャビネット。
【請求項４】
前記筐体は、前記保持板を所定の回転軸の周りに移動可能に保持する、
請求項１〜３のいずれか一つの分電盤用キャビネット。
【請求項５】
前記所定の回転軸は、前記保持板の長さ又は幅に沿った軸である、
請求項４の分電盤用キャビネット。
【請求項６】
前記所定の回転軸は、前記保持板の一端側に位置する、
請求項４又は５の分電盤用キャビネット。
【請求項７】
前記筐体は、前記保持板を所定の方向に移動可能に保持する、
請求項１〜６のいずれか一つの分電盤用キャビネット。
【請求項８】
前記所定の方向は、前記保持板の長さ、幅、又は厚みに沿った方向である、
請求項７の分電盤用キャビネット。
【請求項９】
前記保持板を前記第１位置と前記第２位置との間で移動させる駆動部を、更に備える、
請求項１〜８のいずれか一つの分電盤用キャビネット。
【請求項１０】
前記駆動部は、モータを含む、
請求項９の分電盤用キャビネット。
【請求項１１】
電源からの電線が接続される電源端子を有する電源接続部を更に備え、
前記電源端子は、前記保持板に設けられる、
請求項１〜１０のいずれか一つの分電盤用キャビネット。
【請求項１２】
電源からの電線が接続される電源端子、前記１以上の開閉器に接続される内部端子、及び、前記電源端子と前記内部端子とを電気的に接続する接続部、を有する電源接続部を更に備え、
前記電源端子は、前記筐体に設けられ、
前記内部端子は、前記保持板に設けられる、
請求項１〜１０のいずれか一つの分電盤用キャビネット。
【請求項１３】
前記接続部は、可撓性を有するケーブル、カールコード、又はレール給電システムである、
請求項１２の分電盤用キャビネット。
【請求項１４】
前記筐体は、造営材の表面に設けられた取付孔に全体が埋め込まれた状態で取り付けられる、
請求項１〜１３のいずれか一つの分電盤用キャビネット。
【請求項１５】
請求項１〜１４のいずれか一つの分電盤用キャビネットと、
前記分電盤用キャビネットに収容される前記１以上の開閉器と、
を備える、
分電盤。
【発明の詳細な説明】
【技術分野】
【０００１】
本開示は、一般に分電盤用キャビネット及び分電盤に関し、より詳細には、１以上の開閉器を収容する分電盤用キャビネット及び当該分電盤用キャビネットを備える分電盤に関する。
【背景技術】
【０００２】
特許文献１は、住宅用分電盤（分電盤）を開示する。分電盤は、複数の開閉器が納装され開閉器の操作部が前面に露出する箱体と、箱体の前面を覆う位置と開放する位置との間で開閉するように一端縁が箱体に軸着された扉体とを備える。
【先行技術文献】
【特許文献】
【０００３】
【特許文献１】特開２００１−１５７３１９号公報
【発明の概要】
【発明が解決しようとする課題】
【０００４】
このような分電盤は、建物の壁面において天井付近に取り付けられることが多い。そのため、分電盤に収納されている開閉器の状態の確認や操作等が行い難い場合がある。
【０００５】
課題は、使い勝手を向上できる、分電盤用キャビネット及び分電盤を提供することである。
【課題を解決するための手段】
【０００６】
本開示の一態様の分電盤用キャビネットは、１以上の開閉器を保持する保持板と、前記保持板を第１位置と第２位置との間で移動可能に保持する筐体と、を備える。
【０００７】
本開示の一態様の分電盤は、前記分電盤用キャビネットと、前記分電盤用キャビネットに収容される前記１以上の開閉器と、を備える。
【発明の効果】
【０００８】
本開示の態様によれば、使い勝手を向上できる、という効果を奏する。
【図面の簡単な説明】
【０００９】
【図１】図１は、一実施形態の分電盤の斜視図であり、カバーを閉じた状態である。
【図２】図２は、上記実施形態の分電盤の斜視図であり、カバーを外した状態である。
【図３】図３は、上記実施形態の分電盤の回路の概略図である。
【図４】図４Ａは、上記実施形態の分電盤のキャビネットの説明図である。図４Ｂは、図４Ａにおいて点線で囲った部分の拡大図である。
【図５】図５Ａは、変形例１の分電盤のキャビネットの説明図である。図５Ｂは、図５Ａにおいて点線で囲った部分の拡大図である。
【図６】図６は、変形例２の分電盤のキャビネットの説明図である。
【図７】図７は、変形例３の分電盤の回路の概略図である。
【発明を実施するための形態】
【００１０】
１．実施形態
１．１  概要
図１は、一実施形態の分電盤１を示す。分電盤１は、分電盤用キャビネット１０を備える。分電盤用キャビネット１０は、図２に示すように、保持板１１１と、筐体１２と、を備える。保持板１１１は、１以上の開閉器（図２及び図３に示す主幹開閉器２及び複数の分岐開閉器３）を保持する。筐体１２は、図４に示すように、保持板１１１を第１位置（図４において実線で示す位置）と第２位置（図４において破線で示す位置）との間で移動可能に保持する。
【００１１】
このような分電盤１及び分電盤用キャビネット１０では、保持板１１１が筐体１２に対して移動可能であるから、保持板１１１を動かすことで、１以上の開閉器をユーザにとって見やすい位置や、操作しやすい位置に配置できる。したがって、分電盤１及び分電盤用キャビネット１０によれば、使い勝手を向上できる。
【００１２】
１．２  詳細
以下、本実施形態の分電盤１について図１〜図４Ａ及び図４Ｂを参照して説明する。
【００１３】
分電盤１は、図１に示すように、分電盤用キャビネット１０を備える。更に、分電盤１は、図２に示すように、主幹開閉器２及び複数の分岐開閉器３を備えている。主幹開閉器２及び複数の分岐開閉器３は、分電盤用キャビネット１０に収容される。
【００１４】
分電盤用キャビネット１０は、図１及び図２に示すように、架台１１と、筐体１２と、カバー１３と、を備える。
【００１５】
架台１１は、保持板１１１と、一対の軸部１１２と、を備える。
【００１６】
保持板１１１は、１以上の開閉器を保持するための部材である。換言すれば、保持板１１１は、１以上の開閉器を分電盤１に取り付けるための部材である。保持板１１１は、例えば、矩形の金属板である。
【００１７】
本実施形態では、保持板１１１には、図３に示すように、１つの主幹開閉器２と、複数（本実施形態では、８つ）の分岐開閉器３と、が取り付けられる。つまり、１以上の開閉器は、主幹開閉器２と分岐開閉器３とを含んでいる。本実施形態では、保持板１１１の一面（前面）に、主幹開閉器２及び分岐開閉器３が取り付けられている。
【００１８】
主幹開閉器２は、３つの一次側の端子２１と、３つの二次側の端子２２と、を備える。３つの一次側の端子２１は、それぞれ、電源１００からの単相三線式の３つの電線（電源線）２００に接続される。電源１００は、例えば、商用電源等の交流電源である。３つの二次側の端子２２は、電圧極（Ｌ１相、Ｌ２相）と中性極との３つの導電バー（母線）４の一端に電気的に接続される。このようにして、主幹開閉器２は、３つの導電バー４を電源１００に電気的に接続する。
【００１９】
分岐開閉器３は、２つの第１端子と、２つの第２端子と、第３端子と、を備える。２つの第１端子の各々には、導電バー４が接続される。これにより、２つの第１端子には、電源１００が電気的に接続される。分岐開閉器３が１００Ｖ用の開閉器である場合は、２つの第１端子のうちの一方には電圧極（Ｌ１相又はＬ２相）の導電バー４が接続され、２つの第１端子のうちの他方には中性極の導電バー４が接続される。分岐開閉器３が２００Ｖ用の開閉器である場合は、２つの第１端子のうちの一方にはＬ１相の導電バー４が接続され、２つの第１端子のうちの他方にはＬ２相の導電バー４が接続される。
【００２０】
２つの第２端子の各々には、非接地電線（分岐線）が接続される。非接地電線には、負荷が電気的に接続される。これにより、２つの第２端子には、負荷が電気的に接続される。負荷は、例えば接地極付きのコンセントなどの配線器具、並びに、照明器具及び空調装置等の種々の電気機器などである。
【００２１】
第３端子は、負荷の接地電線（接地分岐線）が電気的に接続されるアース端子である。接地電線は、負荷の接地極に電気的に接続されている。例えば、負荷が接地極付きのコンセントであれば、コンセントの接地極が接地電線を介して第３端子に電気的に接続される。また、負荷が照明器具等の電気機器であれば、電気機器の接地端子が接地電線を介して第３端子に電気的に接続される。
【００２２】
本実施形態では、架台１１には、保護カバー５が取り付けられている。保護カバー５は、３つの導電バー４を前方から覆うように配置される。保護カバー５は、合成樹脂製であって、電気絶縁性を有している。
【００２３】
一対の軸部１１２は、図４Ａに示すように、回転軸Ｐ１０の周りに移動可能に、保持板１１１を筐体１２に取り付けるための部位である。回転軸Ｐ１０は、保持板１１１の長さに沿った軸である。一対の軸部１１２は、円柱状である。一対の軸部１１２は、保持板１１１の長さに沿った方向の両側（図４Ａでは左右両側）にある。一対の軸部１１２の中心軸は、回転軸Ｐ１０に一致している。一対の軸部１１２は、保持板１１１の幅に沿った方向の一端側（図４Ａでは下端側）にある。
【００２４】
筐体１２は、架台１１と、架台１１に取り付けられた開閉器（主幹開閉器２及び分岐開閉器３）とを収容する。筐体１２は、図２に示すように、本体１２１と、内カバー１２２と、を備える。
【００２５】
本体１２１は、架台１１の保持板１１１全体を収容する箱状である。本実施形態では、本体１２１は、一面（前面）が開口した矩形の箱状である。内カバー１２２は、本体１２１の前面を覆うようにして、本体１２１に取り付けられる。内カバー１２２は、一面（後面）が開口した箱状であり、前面に、開口１２２ａを有している。開口１２２ａは、架台１１に取り付けられた開閉器（主幹開閉器２及び分岐開閉器３）を露出させる。また、開口１２２ａは、架台１１の保持板１１１を通すことができる大きさである。本体１２１及び内カバー１２２は、合成樹脂製であって、電気絶縁性を有している。なお、図４Ａでは、説明を分かりやすくするためだけに、筐体１２を概略的に示しており、本体１２１と内カバー１２２とを区別してはいない。
【００２６】
また、筐体１２は、架台１１を保持するための一対の軸受け部１２３を有する（図４Ｂ参照）。一対の軸受け部１２３は、それぞれ、軸部１１２が挿入可能な軸孔１２３ａを有している。一対の軸受け部１２３は、保持板１１１の長さに沿った方向（図４Ａの左右方向）において離間している。架台１１は、一対の軸部１１２を筐体１２の一対の軸受け部１２３の軸孔１２３ａにそれぞれ挿入することによって、筐体１２に取り付けられる。これによって、架台１１は、図４Ａに示すように、保持板１１１が回転軸Ｐ１０の周りに移動可能（回転可能）に、筐体１２に取り付けられる。特に、保持板１１１（架台１１）は、第１位置と第２位置との間で移動可能である。第１位置と第２位置とは互いに異なる位置である。第１位置は、架台１１の保持板１１１全体が筐体１２の本体１２１内に収まった位置である。図４Ａ及び図４Ｂでは、第１位置にある架台１１が実線で描かれている。第２位置は、架台１１の保持板１１１が部分的に筐体１２から外方に出た位置である。第２位置は、主幹開閉器２及び分岐開閉器３の視認及び操作が第１位置よりも容易になる位置であることが好ましい。第１位置から第２位置への回転角度は、この点を考慮して適宜設定され得る。回転角度は、例えば、０度より大きく５度以下である。図４Ａ及び図４Ｂでは、第２位置にある架台１１が二点鎖線で描かれている。
【００２７】
本実施形態では、架台１１の軸部１１２と筐体１２の軸受け部１２３とが、架台１１（保持板１１１）を筐体１２に対して回転軸Ｐ１０の周りに回転可能に取り付ける回転保持機構を構成している。回転保持機構は、更に、保持板１１１を第１位置から第２位置に付勢する弾性部材（ばね等）を備えてよい。また、回転保持機構は、保持板１１１を第１位置にラッチするラッチ機構を有していてよい。つまり、分電盤用キャビネット１０では、ラッチ機構による保持板１１１のラッチを解除することで、保持板１１１が弾性部材で付勢されて第１位置から第２位置に移動するようにしてよい。保持板１１１を弾性部材による付勢に逆らって押圧して第１位置まで戻すことでラッチ機構によって再度、保持板１１１がラッチされて、第１位置に保持され得る。このようなラッチ機構は従来周知のものであってよいから、詳細な説明は省略する。
【００２８】
カバー１３は、筐体１２の前側に取り付けられる。カバー１３は、筐体１２の開口１２２ａを覆う位置（閉位置）と筐体１２の開口１２２ａを覆わない位置（開位置）との間で移動可能に筐体１２に取り付けられる。本実施形態では、カバー１３は、筐体１２に対して、筐体１２の長さに沿った軸の周りに、閉位置と開位置との間で回転可能である。カバー１３は、合成樹脂製であって、電気絶縁性を有している。なお、図４Ａでは、説明を分かりやすくするためだけに、カバー１３は省略している。
【００２９】
１．３  使用例
本実施形態の分電盤用キャビネット１０は、図４Ａに示すように、造営材３００の表面に取り付けられ得る。ここで、造営材３００は、建物の壁であってよい。
【００３０】
主幹開閉器２及び分岐開閉器３を操作する必要がない場合は、架台１１の保持板１１１は第１位置（図４Ａで実線で示す位置）に配置される。この状態では、カバー１３を閉位置として、主幹開閉器２及び分岐開閉器３を隠すことができる。そして、主幹開閉器２及び分岐開閉器３を操作する必要がある場合には、カバー１３を閉位置から開位置にする。これによって、主幹開閉器２及び分岐開閉器３が操作可能な状態となる。更に、架台１１を矢印Ａ１０に沿って動かして保持板１１１を第１位置から第２位置（図４Ａで二点鎖線で示す位置）にすれば、主幹開閉器２及び分岐開閉器３が筐体１２から外方に出る。これによって、主幹開閉器２及び分岐開閉器３の視認性及び操作性が向上する。したがって、分電盤１及び分電盤用キャビネット１０によれば、使い勝手を向上できる。
【００３１】
本実施形態では、主幹開閉器２の一次側の端子２１が、電源１００からの電線２００が接続される電源端子となる。つまり、主幹開閉器２が電源接続部としての役割を果たす。つまり、分電盤用キャビネット１０は、電源１００からの電線２００が接続される電源端子（端子２１）を有する電源接続部（主幹開閉器２）を更に備えている。そして、電源端子部（主幹開閉器２）は、保持板１１１に設けられている。
【００３２】
２．変形例
本開示の実施形態は、上記実施形態に限定されない。上記実施形態は、本開示の目的を達成できれば、設計等に応じて種々の変更が可能である。以下に、上記実施形態の変形例を列挙する。
【００３３】
２．１  変形例１
図５Ａは、変形例１の分電盤用キャビネット１０Ａを示す。分電盤用キャビネット１０Ａは、架台１１Ａと、筐体１２Ａとを備える。なお、分電盤用キャビネット１０Ａは、分電盤用キャビネット１０と同様にカバー１３を備えるが、図５Ａでは、説明を分かりやすくするためだけに、カバー１３の図示を省略している。
【００３４】
架台１１Ａは、保持板１１１と、一対の軸部１１３と、を備える。一対の軸部１１３は、図５Ｂに示すように、回転軸Ｐ１１の周りに移動可能に、保持板１１１を筐体１２Ａに取り付けるための部位である。回転軸Ｐ１１は、保持板１１１の幅に沿った軸である。一対の軸部１１３は、円柱状である。一対の軸部１１３は、保持板１１１の幅に沿った方向の両側（図５Ａでは上下両側）にある。一対の軸部１１３の中心軸は、回転軸Ｐ１１に一致している。一対の軸部１１３は、保持板１１１の長さに沿った方向の一端側（図５Ａでは左端側）にある。
【００３５】
筐体１２Ａは、架台１１Ａと、架台１１Ａに取り付けられた開閉器（主幹開閉器２及び分岐開閉器３）とを収容する。筐体１２Ａは、上記実施形態の筐体１２と同様に、本体１２１と、内カバー１２２と、を備える。ただし、図５Ａでは、説明を分かりやすくするためだけに、筐体１２Ａを概略的に示しており、本体１２１と内カバー１２２とを区別してはいない。
【００３６】
筐体１２Ａは、架台１１Ａを保持するための一対の軸受け部１２４を有する。一対の軸受け部１２４は、それぞれ、軸部１１３が挿入可能な軸孔１２４ａを有している。一対の軸受け部１２４は、保持板１１１の幅に沿った方向（図５Ａの上下方向）において離間している。架台１１Ａは、一対の軸部１１３を筐体１２Ａの一対の軸受け部１２４の軸孔１２４ａにそれぞれ挿入することによって、筐体１２Ａに取り付けられる。これによって、架台１１Ａは、図５Ａに示すように、保持板１１１が回転軸Ｐ１１の周りに移動可能（回転可能）に、筐体１２Ａに取り付けられる。特に、保持板１１１（架台１１Ａ）は、第１位置と第２位置との間で移動可能である。第１位置は、架台１１Ａの保持板１１１全体が筐体１２Ａ（本体１２１）内に収まった位置である。図５Ａ及び図５Ｂでは、第１位置にある架台１１Ａが実線で描かれている。第２位置は、架台１１Ａの保持板１１１が部分的に筐体１２Ａから外方に出た位置である。第２位置は、主幹開閉器２及び分岐開閉器３の視認及び操作が第１位置よりも容易になる位置であることが好ましい。第１位置から第２位置への回転角度は、この点を考慮して適宜設定され得る。回転角度は、例えば、０度より大きく５度以下である。図５Ａ及び図５Ｂでは、第２位置にある架台１１Ａが二点鎖線で描かれている。
【００３７】
本実施形態の分電盤用キャビネット１０Ａは、図５Ａに示すように、造営材３００の表面に設けられた取付孔３１０に全体が埋め込まれた状態で取り付けられ得る。
【００３８】
主幹開閉器２及び分岐開閉器３を操作する必要がない場合は、架台１１Ａの保持板１１１は第１位置（図５Ａで実線で示す位置）に配置される。この状態では、カバー１３を閉位置として、主幹開閉器２及び分岐開閉器３を隠すことができる。そして、主幹開閉器２及び分岐開閉器３を操作する必要がある場合には、カバー１３を閉位置から開位置にする。これによって、主幹開閉器２及び分岐開閉器３が操作可能な状態となる。更に、架台１１Ａを矢印Ａ１１に沿って動かして保持板１１１を第１位置から第２位置（図５Ａで破線で示す位置）にすれば、主幹開閉器２及び分岐開閉器３が筐体１２Ａから外方に出る。これによって、主幹開閉器２及び分岐開閉器３の視認性及び操作性が向上する。したがって、分電盤用キャビネット１０Ａ、及び、分電盤用キャビネット１０Ａを備える分電盤によれば、使い勝手を向上できる。
【００３９】
２．２  変形例２
図６は、変形例２の分電盤用キャビネット１０Ｂを示す。分電盤用キャビネット１０Ｂは、架台１１Ｂと、筐体１２Ｂとを備える。
【００４０】
架台１１Ｂは、保持板１１１と、一対の側片１１４と、把手１１５と、を備える。一対の側片１１４は、図６に示すように、保持板１１１の幅に沿った方向（図６の上下方向）に移動可能に、保持板１１１を筐体１２Ｂに取り付けるための部位である。一対の側片１１４は、矩形の板状である。一対の側片１１４は、保持板１１１の長さに沿った方向の両側（図６では左右両側）にある。一対の側片１１４は、保持板１１１の前側に突出している。また、一対の側片１１４の長さに沿った方向は、保持板１１１の幅に沿った方向と一致している。把手１１５は、保持板１１１の幅に沿った方向の一端側（図６では下端側）にある。把手１１５は、架台１１Ｂを筐体１２Ｂから外部に引き出すために用いられる。
【００４１】
筐体１２Ｂは、架台１１Ｂと、架台１１Ｂに取り付けられた開閉器（主幹開閉器２及び分岐開閉器３）とを収容する。特に、筐体１２Ｂは、架台１１Ｂの保持板１１１全体を収容する大きさの箱状の本体１２１Ｂを有する。本変形例では、本体１２１Ｂは、矩形の箱状であり、幅に沿った方向の一端側の面（図６の下面）が開口している。筐体１２Ｂは、本体１２１Ｂの開口を覆うようにして本体１２１Ｂに取り付けられるカバー１２２Ｂを有している。カバー１２２Ｂは、開口１２２ｂを有している。開口１２２ｂは、架台１１Ｂの把手１１５を外部に露出させる。また、開口１２２ｂは、架台１１Ｂの保持板１１１をその幅方向に沿って通すことができる大きさである。筐体１２Ｂは、合成樹脂製であって、電気絶縁性を有している。
【００４２】
筐体１２Ｂは、架台１１Ｂを保持するための一対の保持片１２５を有する。一対の保持片１２５は、本体１２１Ｂ内にあり、保持板１１１の長さに沿った方向（図６の左右方向）において離間している。保持片１２５は、架台１１Ｂの側片１１４をその長さに沿った方向にスライド移動可能に保持する。図６では、保持片１２５及び側片１１４の図示を簡略化しているが、保持片１２５と側片１１４とはスライドレールを構成する。よって、架台１１Ｂは、一対の側片１１４を筐体１２Ｂの一対の保持片１２５にそれぞれはめ込むことによって、筐体１２Ｂに取り付けられる。これによって、架台１１Ｂは、図６に示すように、保持板１１１がその幅に沿った方向に沿って移動可能（スライド可能）に、筐体１２ｂに取り付けられる。特に、保持板１１１（架台１１Ｂ）は、第１位置と第２位置との間で移動可能である。第１位置は、架台１１Ｂの保持板１１１全体が筐体１２Ｂ（本体１２１Ｂ）内に収まった位置である。図６では、第１位置にある架台１１Ｂが実線で描かれている。第２位置は、架台１１Ｂの保持板１１１が部分的に筐体１２Ｂから外方に出た位置である。第２位置は、主幹開閉器２及び分岐開閉器３の視認及び操作が第１位置よりも容易になる位置であることが好ましい。第１位置から第２位置への移動距離は、この点を考慮して適宜設定され得る。特に、第２位置では、主幹開閉器２及び分岐開閉器３の全体が筐体１２Ｂから外部に出ていることが望ましい。図６では、第２位置にある架台１１Ｂが二点鎖線で描かれている。
【００４３】
本実施形態の分電盤用キャビネット１０Ｂは、図６に示すように、造営材４００の表面に設けられた取付孔４１０に全体が埋め込まれた状態で取り付けられ得る。ここで、造営材４００は、建物の天井であってよい。
【００４４】
主幹開閉器２及び分岐開閉器３を操作する必要がない場合は、架台１１Ｂの保持板１１１は第１位置（図６で実線で示す位置）に配置される。この状態では、主幹開閉器２及び分岐開閉器３を隠すことができる。そして、主幹開閉器２及び分岐開閉器３を操作する必要がある場合には、把手１１５を引いて架台１１Ｂを矢印Ａ１２に沿って動かして保持板１１１を第１位置から第２位置にすれば、主幹開閉器２及び分岐開閉器３が筐体１２Ｂから外方に出る。これによって、主幹開閉器２及び分岐開閉器３の視認性及び操作性が向上する。したがって、分電盤用キャビネット１０Ｂ、及び、分電盤用キャビネット１０Ｂを備える分電盤によれば、使い勝手を向上できる。
【００４５】
２．３  変形例３
図７は、変形例３の分電盤用キャビネット１０Ｃを示す。変形例３の分電盤用キャビネット１０Ｃは、分電盤用キャビネット１０と同様に、架台１１及び筐体１２を備え、更に、駆動部６を備える。
【００４６】
駆動部６は、保持板１１１を第１位置と第２位置との間で移動させるように構成されている。本変形例では、分電盤用キャビネット１０と同様に、保持板１１１は、回転軸Ｐ１０の周りに移動可能であるから、駆動部６は、回転軸Ｐ１０の周りに保持板１１１を回転させるように構成されている。駆動部６は、動力源として、モータ６１を有している。モータ６１は、交流電力で動作するモータであり、分岐開閉器３に電気的に接続されている。つまり、駆動部６は、分岐開閉器３を通じて電源１００から得た電力によって、モータ６１を駆動して、保持板１１１を第１位置と第２位置との間で移動させる。駆動部６は、手動操作可能なスイッチを有していてよく、スイッチの操作に応じて、保持板１１１を第１位置と第２位置との間で移動させてよい。また、駆動部６は、リモートコントローラからの信号の入力に応じて、保持板１１１を第１位置と第２位置との間で移動させてよい。
【００４７】
また、分電盤用キャビネット１０Ｃは、図７に示すように、３つの電源端子７を備える。３つの電源端子７は、架台１１ではなく、筐体１２に設けられている。３つの電源端子７には、電源１００からの電線２００が接続される。更に、３つの電源端子７は、それぞれ接続部８を介して、主幹開閉器２の３つの一次側の端子２１に電気的に接続されている。本変形例では、主幹開閉器２の一次側の端子２１が、１以上の開閉器（分岐開閉器３）に接続される内部端子となる。つまり、分電盤用キャビネット１０Ｃは、電源接続部を更に備える。電源接続部は、電源１００からの電線２００が接続される電源端子７と、１以上の開閉器（分岐開閉器３）に接続される内部端子（端子２１）と、電源端子７と内部端子２１とを電気的に接続する接続部８とを有する。接続部８は、保持板１１１が第１位置と第２位置との間で移動しても、電源端子７と主幹開閉器２との電気的接続を維持する。接続部８は、例えば、可撓性を有するケーブル、カールコード、又は、レール給電システムである。ここで、レール給電システムは、導電性のレールと、レール上をスライドする集電器とで構成されるシステムである。このような、レール給電システムは、鉄道車両やトロリーバス等、移動体に給電する技術として周知である。例えば、筐体１２に、導電性のレールを設け、保持板１１１に集電器を設けることで、電源１００から１以上の開閉器（分岐開閉器３）に給電可能となる。
【００４８】
２．４  その他の変形例
分電盤用キャビネット１０では、保持板１１１は、主幹開閉器２及び複数の分岐開閉器３を保持しているが、１以上の開閉器を保持していればよい。ここでいう「開閉器」は、主幹開閉器２であってもよいし、分岐開閉器３であってもよい。また、保持板１１１は、更に、分電盤用内器を保持するように構成されていてもよい。分電盤用内器の例としては、電流計測器、及び通信機器が挙げられる。
【００４９】
分電盤用キャビネット１０では、第１位置は、保持板１１１全体が筐体１２の本体１２１内に収まった位置であるが、保持板１１１は必ずしも全体が本体１２１内に収まっていなくてもよい。この点は、分電盤用キャビネット１０Ａ及び分電盤用キャビネット１０Ｂにおいても同様である。分電盤用キャビネット１０では、保持板１１１が第１位置にある場合に、保持板１１１に取り付けられた主幹開閉器２及び分岐開閉器３が筐体１２の開口１２２ａから外部に露出する。そのため、保持板１１１が第１位置にあっても、主幹開閉器２及び分岐開閉器３の視認及び操作が可能である。ただし、保持板１１１が第１位置にある場合に、必ずしも、主幹開閉器２及び分岐開閉器３の視認及び操作が可能である必要はない。
【００５０】
分電盤用キャビネット１０では、第２位置は、保持板１１１が部分的に筐体１２から外方に出た位置である。しかしながら、第２位置は、保持板１１１が全体的に筐体１２から外方に出た位置であってよい。保持板１１１が第２位置にある場合に、主幹開閉器２及び分岐開閉器３の視認及び操作が可能であるほうがよい。この点は、分電盤用キャビネット１０Ａ及び分電盤用キャビネット１０Ｂにおいても同様である。
【００５１】
分電盤用キャビネット１０において、回転軸Ｐ１０（軸部１１２及び軸受け部１２３）は、保持板１１１の幅に沿った方向の一端側（図４では下端側）ではなく、他端側（図４では上側）にあってもよい。また、回転軸Ｐ１０は、保持板１１１の幅に沿った方向の中央にあってもよい。また、分電盤用キャビネット１０において、保持板１１１を筐体１２に所定の回転軸の周りに移動可能に取り付ける構造は、上記の構造に限定されず、従来周知の構造が採用できる。また、このような保持板１１１を回転させる構造は、分電盤用キャビネット１０Ｂにも採用できる。つまり、分電盤用キャビネット１０Ｂにおいても、保持板１１１は所定の回転軸の周りに移動可能であってよい。
【００５２】
分電盤用キャビネット１０Ａにおいて、回転軸Ｐ１１（軸部１１３及び軸受け部１２４）は、保持板１１１Ａの長さに沿った方向の一端側（図５では左端側）ではなく、他端側（図５では右側）にあってもよい。また、回転軸Ｐ１１は、保持板１１１Ａの長さに沿った方向の中央にあってもよい。
【００５３】
分電盤用キャビネット１０Ｂにおいて、筐体１２Ｂは、保持板１１１を保持板１１１の幅に沿った方向に移動可能に保持する。しかしながら、筐体１２Ｂは、保持板１１１を、保持板１１１の長さ、又は厚みに沿った方向に移動可能に保持してよい。また、分電盤用キャビネット１０Ｃにおいて、保持板１１１を筐体１２Ｂに所定の方向に移動可能に取り付ける構造は、上記の構造に限定されず、従来周知の構造が採用できる。また、保持板１１１は、筐体１２Ｂに対して直線的に移動する必要はなく、曲線的に移動してよいし、直線と曲線とを組み合わせた経路に沿って移動してよい。
【００５４】
分電盤用キャビネット１０において、筐体１２は、保持板１１１を所定の回転軸（Ｐ１０，Ｐ１１）の周りに移動可能に保持し、かつ、保持板１１１を所定の方向に移動可能に保持してよい。例えば、保持板１１１は、筐体１２から保持板１１１の幅に沿った方向に移動した後に、保持板１１１の長さに沿った回転軸の周りに回転可能であってよい。
【００５５】
また、分電盤用キャビネット１０Ｃの駆動部６は、分電盤用キャビネット１０Ａ又は分電盤用キャビネット１０Ｂにも適用可能である。また、駆動部６は、モータ６１以外の動力源を利用してよい。また、駆動部６は、カバー１３の閉位置と開位置との間の移動に応じて、保持板１１１を第１位置と第２位置との間で移動させるように、カバー１３と架台１１とを連結する機構であってよい。特に、駆動部６は、カバー１３が閉位置である場合に保持板１１１が第１位置に位置し、カバー１３が開位置である場合に保持板１１１が第２位置に位置するように、カバー１３と架台１１とを連結してよい。
【００５６】
また、分電盤用キャビネット１０において、主幹開閉器２の端子２１が、電源端子としての役割を持っているが、端子２１とは別に電源端子を保持板１１１に設けてよい。
【００５７】
また、分電盤用キャビネット１０Ｃの電源接続部（電源端子７、端子２１、及び接続部８）は、分電盤用キャビネット１０Ａ又は分電盤用キャビネット１０Ｂにも適用可能である。分電盤用キャビネット１０Ｃにおいて、主幹開閉器２の端子２１が、内部端子としての役割を持っているが、端子２１とは別に内部端子を保持板１１１に設けてよい。
【００５８】
３．態様
上記実施形態及び変形例から明らかなように、本開示は、下記の態様を含む。以下では、実施形態との対応関係を明示するためだけに、符号を括弧付きで付している。
【００５９】
第１の態様は、分電盤用キャビネット（１０；１０Ａ；１０Ｂ；１０Ｃ）であって、１以上の開閉器（２，３）を保持する保持板（１１１）と、前記保持板（１１１）を第１位置と第２位置との間で移動可能に保持する筐体（１２；１２Ａ；１２Ｂ）と、を備える。この態様によれば、使い勝手を向上できる。
【００６０】
第２の態様は、第１の態様の分電盤用キャビネット（１０；１０Ａ；１０Ｂ；１０Ｃ）に基づく。第２の態様では、前記筐体（１２；１２Ａ；１２Ｂ）は、前記保持板（１１１）の全体を収容する大きさの箱状の本体（１２１；１２１Ｂ）を含む。前記第１位置は、前記保持板（１１１）の全体が前記筐体（１２；１２Ａ；１２Ｂ）の本体（１２１；１２１Ｂ）内に収まった位置である。この態様によれば、第１位置において、保持板（１１１）に取り付けられる１以上の開閉器（２，３）の保護が図れる。
【００６１】
第３の態様は、第１又は第２の態様の分電盤用キャビネット（１０；１０Ａ；１０Ｂ；１０Ｃ）に基づく。第３の態様では、前記第２位置は、前記保持板（１１１）が部分的に又は全体的に前記筐体（１２；１２Ａ；１２Ｂ）から外方に出た位置である。この態様によれば、第２位置において、保持板（１１１）に取り付けられる１以上の開閉器（２，３）の視認性及び操作性の向上が図れる。
【００６２】
第４の態様は、第１〜第３の態様のいずれか一つの分電盤用キャビネット（１０；１０Ａ；１０Ｃ）に基づく。第４の態様では、前記筐体（１２；１２Ａ）は、前記保持板（１１１）を所定の回転軸（Ｐ１０，Ｐ１１）の周りに移動可能に保持する。この態様によれば、使い勝手を向上できる。
【００６３】
第５の態様は、第４の態様の分電盤用キャビネット（１０；１０Ａ；１０Ｃ）に基づく。第５の態様では、前記所定の回転軸（Ｐ１０，Ｐ１１）は、前記保持板（１１１）の長さ又は幅に沿った軸である。この態様によれば、使い勝手を向上できる。
【００６４】
第６の態様は、第４又は第５の態様の分電盤用キャビネット（１０；１０Ａ；１０Ｃ）に基づく。第６の態様では、前記所定の回転軸（Ｐ１０，Ｐ１１）は、前記保持板（１１１）の一端側に位置する。この態様によれば、使い勝手を向上できる。
【００６５】
第７の態様は、第１〜第６の態様のいずれか一つの分電盤用キャビネット（１０Ｂ）に基づく。第７の態様では、前記筐体（１２Ｂ）は、前記保持板（１１１）を所定の方向に移動可能に保持する。この態様によれば、使い勝手を向上できる。
【００６６】
第８の態様は、第７の態様の分電盤用キャビネット（１０Ｂ）に基づく。第８の態様では、前記所定の方向は、前記保持板（１１１）の長さ、幅、又は厚みに沿った方向である。この態様によれば、使い勝手を向上できる。
【００６７】
第９の態様は、第１〜第８の態様のいずれか一つの分電盤用キャビネット（１０Ｃ）に基づく。第９の態様では、前記分電盤用キャビネット（１０Ｃ）は、前記保持板（１１１）を前記第１位置と前記第２位置との間で移動させる駆動部（６）を、更に備える。この態様によれば、使い勝手を向上できる。
【００６８】
第１０の態様は、第９の態様の分電盤用キャビネット（１０Ｃ）に基づく。第１０の態様では、前記駆動部（６）は、モータ（６１）を含む。この態様によれば、使い勝手を向上できる。
【００６９】
第１１の態様は、第１〜第１０の態様のいずれか一つの分電盤用キャビネット（１０）に基づく。第１１の態様では、前記分電盤用キャビネット（１０）は、電源（１００）からの電線（２００）が接続される電源端子（２１）を有する電源接続部を更に備える。前記電源端子（２１）は、前記保持板（１１１）に設けられる。この態様によれば、電源と開閉器との間の電気接続の簡素化が図れる。
【００７０】
第１２の態様は、第１〜第１０の態様のいずれか一つの分電盤用キャビネット（１０Ｃ）に基づく。第１２の態様では、前記分電盤用キャビネット（１０Ｃ）は、電源接続部を更に備える。前記電源接続部は、電源（１００）からの電線（２００）が接続される電源端子（７）、前記１以上の開閉器（２，３）に接続される内部端子（２１）、及び、前記電源端子（７）と前記内部端子（２１）とを電気的に接続する接続部（８）、を有する。前記電源端子（７）は、前記筐体（１２；１２Ａ；１２Ｂ）に設けられる。前記内部端子（２１）は、前記保持板（１１１）に設けられる。この態様によれば、電源と開閉器との間の電気接続の信頼性を向上できる。
【００７１】
第１３の態様は、第１２の態様の分電盤用キャビネット（１０Ｃ）に基づく。第１３の態様では、前記接続部（８）は、可撓性を有するケーブル、カールコード、又はレール給電システムである。この態様によれば、電源と開閉器との間の電気接続の信頼性を向上できる。
【００７２】
第１４の態様は、第１〜第１３の態様のいずれか一つの分電盤用キャビネット（１０Ａ；１０Ｂ）に基づく。第１４の態様では、前記筐体（１２Ａ；１２Ｂ）は、造営材（３００；４００）の表面に設けられた取付孔（３１０；４１０）に全体が埋め込まれた状態で取り付けられる。この態様によれば、分電盤用キャビネット（１０Ａ；１０Ｂ）を目立たなくすることができる。
【００７３】
第１５の態様は、分電盤（１）であって、第１〜第１４のいずれか一つの分電盤用キャビネット（１０；１０Ａ；１０Ｂ；１０Ｃ）と、前記分電盤用キャビネット（１０；１０Ａ；１０Ｂ；１０Ｃ）に収容される前記１以上の開閉器（２，３）と、を備える。この態様によれば、使い勝手を向上できる。
【符号の説明】
【００７４】
１  分電盤
１０，１０Ａ，１０Ｂ，１０Ｃ  分電盤用キャビネット
１１１  保持板
１２，１２Ａ，１２Ｂ  筐体
１２１，１２１Ｂ  本体
２  主幹開閉器（開閉器）
２１  端子（電源端子，内部端子）
３  分岐開閉器（開閉器）
６  駆動部
６１  モータ
７  電源端子
８  接続部
Ｐ１０，Ｐ１１  回転軸
１００  電源
２００  電線
３００，４００  造営材
３１０，４１０  取付孔
【図１】
2020065373.tif 000003
【図２】
2020065373.tif 000004
【図３】
2020065373.tif 000005
【図４】
2020065373.tif 000006
【図５】
2020065373.tif 000007
【図６】
2020065373.tif 000008
【図７】
2020065373.tif 000009